(57)【要約】【課題】  予め設定したスケジュールに基づいて電源を自動的にオン／オフさせる。【解決手段】  スケジュール管理手段１０は、メモリ１４に格納された、電源のオン時刻またはオフ時刻を示すスケジュールデータに従って、携帯電話機の電源をオンまたはオフさせる。現在時刻と前記設定時間比較手段に設定されたスケジュールデータの電源オフの時刻とが一致しかつ携帯電話機が電源オンの状態である場合、電源がオフになる前に、前記メモリに格納されたスケジュールデータのうち現在時刻から最も近い電源オンの時刻のスケジュールデータを前記設定時間比較手段に設定し、現在時刻と前記設定時間比較手段に設定されたスケジュールデータの電源オンの時刻とが一致しかつ携帯電話機が電源オフの状態である場合、電源がオンした後に、前記メモリに格納されたスケジュールデータのうち現在時刻から最も近い電源オフの時刻のスケジュールデータを前記設定時間比較手段に設定する。【選択図】  図１
2004304842.tif 000002
【特許請求の範囲】
【請求項１】
予め設定された電源のオン時刻またはオフ時刻を示すスケジュールデータに従って、携帯電話機の電源をオンまたはオフさせるスケジュール管理手段と、
前記スケジュールデータを記憶するメモリとを含み、
前記スケジュール管理手段は、
現在時刻と前記メモリから読み出され設定されたスケジュールデータとを比較する設定時間比較手段と、
現在時刻と前記設定時間比較手段に設定されたスケジュールデータの電源オフの時刻とが一致しかつ携帯電話機が電源オンの状態である場合、電源がオフになる前に、前記メモリに格納されたスケジュールデータのうち現在時刻から最も近い電源オンの時刻のスケジュールデータを前記設定時間比較手段に設定し、現在時刻と前記設定時間比較手段に設定されたスケジュールデータの電源オンの時刻とが一致しかつ携帯電話機が電源オフの状態である場合、電源がオンした後に、前記メモリに格納されたスケジュールデータのうち現在時刻から最も近い電源オフの時刻のスケジュールデータを前記設定時間比較手段に設定する電源状態監視手段と、
現在時刻と前記設定時間比較手段に設定されたスケジュールデータの電源オフの時刻とが一致した場合、携帯電話機の電源をオフさせる制御を行い、現在時刻と前記設定時間比較手段に設定されたスケジュールデータの電源オンの時刻とが一致した場合、携帯電話機の電源をオンさせる制御を行う電源オン／オフ判定手段と、
を有することを特徴とする携帯電話機。
【請求項２】
予め設定された電源のオン時刻またはオフ時刻を示すスケジュールデータに従って、携帯電話機の電源をオンまたはオフさせるスケジュール管理手段と、
前記スケジュールデータを記憶するメモリと、
電源ボタンの押下や電池パックの電圧に応じて携帯電話機の電源をオン／オフさせる制御を行う電源管理手段とを含み、
前記スケジュール管理手段は、
現在時刻と前記メモリから読み出され設定されたスケジュールデータとを比較する設定時間比較手段と、
現在時刻と前記設定時間比較手段に設定されたスケジュールデータの電源オフの時刻とが一致しかつ携帯電話機が電源オンの状態である場合、又は前記電源ボタンの押下若しくは前記電池パックの電池容量不足により携帯電話機の電源がオフになる場合、電源がオフになる前に、前記メモリに格納されたスケジュールデータのうち現在時刻から最も近い電源オンの時刻のスケジュールデータを前記設定時間比較手段に設定し、現在時刻と前記設定時間比較手段に設定されたスケジュールデータの電源オンの時刻とが一致しかつ携帯電話機が電源オフの状態である場合、又は前記電源ボタンの押下により携帯電話機の電源がオンになる場合、電源がオンした後に、前記メモリに格納されたスケジュールデータのうち現在時刻から最も近い電源オフの時刻のスケジュールデータを前記設定時間比較手段に設定する電源状態監視手段と、
現在時刻と前記設定時間比較手段に設定されたスケジュールデータの電源オフの時刻とが一致した場合、携帯電話機の電源をオフさせる制御を行い、現在時刻と前記設定時間比較手段に設定されたスケジュールデータの電源オンの時刻とが一致した場合、携帯電話機の電源をオンさせる制御を行う電源オン／オフ判定手段と、
を有することを特徴とする携帯電話機。
【請求項３】
予め設定された電源のオン時刻またはオフ時刻を示すスケジュールデータに従って、携帯電話機の電源をオンまたはオフさせるスケジュール管理手段と、
前記スケジュールデータを記憶するメモリとを含み、
前記スケジュール管理手段は、
現在時刻と電源が次にオンまたはオフする時刻までの時間との差分を算出する時間演算手段と、
前記差分に相当する時間をカウントするタイマと、
前記タイマが前記現在時刻と電源が次にオフする時刻までの時間との差分に相当する時間をカウントしかつ携帯電話機が電源オンの状態である場合、電源がオフになる前に、前記メモリに格納されたスケジュールデータのうち現在時刻から最も近い電源オンの時刻のスケジュールデータを前記時間演算手段に設定し、前記タイマが前記現在時刻と電源が次にオンする時刻までの時間との差分に相当する時間をカウントしかつ携帯電話機が電源オフの状態である場合、電源がオンした後に、前記メモリに格納されたスケジュールデータのうち現在時刻から最も近い電源オフの時刻のスケジュールデータを前記時間演算手段に設定する電源状態監視手段と、
前記タイマが前記現在時刻と電源が次にオフする時刻までの時間との差分に相当する時間をカウントした場合、携帯電話機の電源をオフさせる制御を行い、前記タイマが前記現在時刻と電源が次にオンする時刻までの時間との差分に相当する時間をカウントした場合、携帯電話機の電源をオンさせる制御を行う電源オン／オフ判定手段と、
を有することを特徴とする携帯電話機。
【請求項４】
予め設定された電源のオン時刻またはオフ時刻を示すスケジュールデータに従って、携帯電話機の電源をオンまたはオフさせるスケジュール管理手段と、
前記スケジュールデータを記憶するメモリと、
電源ボタンの押下や電池パックの電圧に応じて携帯電話機の電源をオン／オフさせる制御を行う電源管理手段とを含み、
前記スケジュール管理手段は、
現在時刻と電源が次にオンまたはオフする時刻までの時間との差分を算出する時間演算手段と、
前記差分に相当する時間をカウントするタイマと、
前記タイマが前記現在時刻と電源が次にオフする時刻までの時間との差分に相当する時間をカウントしかつ携帯電話機が電源オンの状態である場合、又は前記電源ボタンの押下若しくは前記電池パックの電池容量不足により携帯電話機の電源がオフになる場合、電源がオフになる前に、前記メモリに格納されたスケジュールデータのうち現在時刻から最も近い電源オンの時刻のスケジュールデータを前記時間演算手段に設定し、前記タイマが前記現在時刻と電源が次にオンする時刻までの時間との差分に相当する時間をカウントしかつ携帯電話機が電源オフの状態である場合、又は前記電源ボタンの押下により携帯電話機の電源がオンになる場合、電源がオンした後に、前記メモリに格納されたスケジュールデータのうち現在時刻から最も近い電源オフの時刻のスケジュールデータを前記時間演算手段に設定する電源状態監視手段と、
前記タイマが前記現在時刻と電源が次にオフする時刻までの時間との差分に相当する時間をカウントした場合、携帯電話機の電源をオフさせる制御を行い、前記タイマが前記現在時刻と電源が次にオンする時刻までの時間との差分に相当する時間をカウントした場合、携帯電話機の電源をオンさせる制御を行う電源オン／オフ判定手段と、
を有することを特徴とする携帯電話機。
【請求項５】
前記スケジュールデータにおける前記予め設定された電源のオン時刻またはオフ時刻は、１日の中で複数回にわたって設定された時刻であることを特徴とする請求項１乃至４のいずれか１つに記載された携帯電話機。
【請求項６】
請求項３または４記載の携帯電話機において、
表示手段と制御手段とを有し、
前記タイマは、前記差分に相当する時間をダウンカウントし、
前記制御手段は、前記タイマによって計時中の時間を前記表示手段に表示させることを特徴とする携帯電話機。
【請求項７】
請求項１または２記載の携帯電話機において、
無線回線の自動着信機能を備えた無線送受信手段と、
この無線送受信手段で自動着信した受信メッセージが前記スケジュールデータであるかどうかを判定する送信・受信メッセージ処理手段と、
前記受信メッセージが前記スケジュールデータであると判定されたとき、このスケジュールデータを前記メモリに格納する制御手段とを有することを特徴とする携帯電話機。
【発明の詳細な説明】
【技術分野】
【０００１】
本発明は、電源のオン時刻またはオフ時刻を設定可能なスケジュール機能を備えた携帯電話機に関するものである。
【背景技術】
【０００２】
図９は従来の携帯電話機の構成を示すブロック図である。携帯電話機２１は、図示しない基地局との間で電波の送受信を行うアンテナ２２と、音声又はデータの送受信を行う無線送受信部２３と、音声データを処理するベースバンド処理部２４と、送話音を検出し、受話音を出力する送話器／受話器２５と、着信音などを鳴らすサウンダ２６と、複数のキースイッチからなるデータ入力部２７と、携帯電話機全体を制御する制御部２８と、画面表示を行う液晶パネルからなる表示部２９と、後述する電池パックから供給される電圧を携帯電話機の各構成回路に必要な電源電圧に変換して各構成回路に供給する電源制御部３１と、時計機能ブロック３２と、電源を供給する電池パック３３と、データを記憶しておくためのメモリ３４とから構成される。
【０００３】
制御部２８は、データ入力部７の電源ボタンの押下や電池パック１３の電圧に応じて携帯電話機の電源をオン／オフさせる制御を行う電源管理手段８１を有している。従来の携帯電話機２１では、電源オフの状態で、データ入力部７の電源ボタンが押されると、電源管理手段８１が、電源制御部３１に対して電源オン指示信号を出力して、携帯電話機の電源をオンさせる。また、電源オンの状態で、データ入力部７の電源ボタンが押されたり、電圧パック１３の電圧が低下したりすると、電源管理手段８１が、電源制御部３１に対して電源オフ指示信号を出力して、携帯電話機の電源をオフさせる。
【発明の開示】
【発明が解決しようとする課題】
【０００４】
近年、通勤の満員電車の中や、映画館、医療設備のある場所などでは、携帯電話機の使用が制限されつつある。しかしながら、従来の携帯電話機では、電源ボタンをその都度押下して、電源をオン／オフするので、一日に何度も電源をオン／オフしようとすると、操作が煩わしくなり、電源の切り忘れが発生するという問題点があった。
【０００５】
本発明は、上記課題を解決するためになされたもので、予め設定したスケジュールに基づいて電源を自動的にオン／オフさせることができる携帯電話機を提供することを目的とする。
【課題を解決するための手段】
【０００６】
本発明の携帯電話機は、予め設定された電源のオン時刻またはオフ時刻を示すスケジュールデータに従って、携帯電話機の電源をオンまたはオフさせるスケジュール管理手段（図２の１０）と、前記スケジュールデータを記憶するメモリ（図２の１４）とを含む。
【０００７】
そのスケジュール管理手段（図２の１０）は、現在時刻と前記メモリから読み出され設定されたスケジュールデータとを比較する設定時間比較手段（図２の１０２）と、現在時刻と前記設定時間比較手段に設定されたスケジュールデータの電源オフの時刻とが一致しかつ携帯電話機が電源オンの状態である場合、電源がオフになる前に、前記メモリに格納されたスケジュールデータのうち現在時刻から最も近い電源オンの時刻のスケジュールデータを前記設定時間比較手段に設定し、現在時刻と前記設定時間比較手段に設定されたスケジュールデータの電源オンの時刻とが一致しかつ携帯電話機が電源オフの状態である場合、電源がオンした後に、前記メモリに格納されたスケジュールデータのうち現在時刻から最も近い電源オフの時刻のスケジュールデータを前記設定時間比較手段に設定する電源状態監視手段（図２の１０４）と、現在時刻と前記設定時間比較手段に設定されたスケジュールデータの電源オフの時刻とが一致した場合、携帯電話機の電源をオフさせる制御を行い、現在時刻と前記設定時間比較手段に設定されたスケジュールデータの電源オンの時刻とが一致した場合、携帯電話機の電源をオンさせる制御を行う電源オン／オフ判定手段（図２の１０３）と、を有する。
【０００８】
本発明による携帯電話機では、さらに電源ボタンの押下や電池パックの電圧に応じて携帯電話機の電源をオン／オフさせる制御を行う電源管理手段（図１の８１）を含む。
【０００９】
この場合、前記スケジュール管理手段（図２の１０）は、現在時刻と前記メモリから読み出され設定されたスケジュールデータとを比較する設定時間比較手段（図２の１０２）と、現在時刻と前記設定時間比較手段に設定されたスケジュールデータの電源オフの時刻とが一致しかつ携帯電話機が電源オンの状態である場合、又は前記電源ボタンの押下若しくは前記電池パックの電池容量不足により携帯電話機の電源がオフになる場合、電源がオフになる前に、前記メモリに格納されたスケジュールデータのうち現在時刻から最も近い電源オンの時刻のスケジュールデータを前記設定時間比較手段に設定し、現在時刻と前記設定時間比較手段に設定されたスケジュールデータの電源オンの時刻とが一致しかつ携帯電話機が電源オフの状態である場合、又は前記電源ボタンの押下により携帯電話機の電源がオンになる場合、電源がオンした後に、前記メモリに格納されたスケジュールデータのうち現在時刻から最も近い電源オフの時刻のスケジュールデータを前記設定時間比較手段に設定する電源状態監視手段（図２の１０４）と、現在時刻と前記設定時間比較手段に設定されたスケジュールデータの電源オフの時刻とが一致した場合、携帯電話機の電源をオフさせる制御を行い、現在時刻と前記設定時間比較手段に設定されたスケジュールデータの電源オンの時刻とが一致した場合、携帯電話機の電源をオンさせる制御を行う電源オン／オフ判定手段（図２の１０３）と、を有する。
【００１０】
本発明の別の携帯電話機は、予め設定された電源のオン時刻またはオフ時刻を示すスケジュールデータに従って、携帯電話機の電源をオンまたはオフさせるスケジュール管理手段（図５の１０ａ）と、スケジュールデータを記憶するメモリ（図５の１４）とを含む。
【００１１】
そのスケジュール管理手段（図５の１０ａ）は、現在時刻と電源が次にオンまたはオフする時刻までの時間との差分を算出する時間演算手段（図５の１０５）と、前記差分に相当する時間をカウントするタイマ（図５の１０６）と、前記タイマが前記現在時刻と電源が次にオフする時刻までの時間との差分に相当する時間をカウントしかつ携帯電話機が電源オンの状態である場合、電源がオフになる前に、前記メモリに格納されたスケジュールデータのうち現在時刻から最も近い電源オンの時刻のスケジュールデータを前記時間演算手段に設定し、前記タイマが前記現在時刻と電源が次にオンする時刻までの時間との差分に相当する時間をカウントしかつ携帯電話機が電源オフの状態である場合、電源がオンした後に、前記メモリに格納されたスケジュールデータのうち現在時刻から最も近い電源オフの時刻のスケジュールデータを前記時間演算手段に設定する電源状態監視手段（図５の１０４）と、前記タイマが前記現在時刻と電源が次にオフする時刻までの時間との差分に相当する時間をカウントした場合、携帯電話機の電源をオフさせる制御を行い、前記タイマが前記現在時刻と電源が次にオンする時刻までの時間との差分に相当する時間をカウントした場合、携帯電話機の電源をオンさせる制御を行う電源オン／オフ判定手段（図５の１０３ａ）と、を有する。
【００１２】
本発明による別の携帯電話機では、さらに電源ボタンの押下や電池パックの電圧に応じて携帯電話機の電源をオン／オフさせる制御を行う電源管理手段（図５の８１）を含む。
【００１３】
この場合、前記スケジュール管理手段は、現在時刻と電源が次にオンまたはオフする時刻までの時間との差分を算出する時間演算手段（図５の１０５）と、前記差分に相当する時間をカウントするタイマ（図５の１０６）と、前記タイマが前記現在時刻と電源が次にオフする時刻までの時間との差分に相当する時間をカウントしかつ携帯電話機が電源オンの状態である場合、又は前記電源ボタンの押下若しくは前記電池パックの電池容量不足により携帯電話機の電源がオフになる場合、電源がオフになる前に、前記メモリに格納されたスケジュールデータのうち現在時刻から最も近い電源オンの時刻のスケジュールデータを前記時間演算手段に設定し、前記タイマが前記現在時刻と電源が次にオンする時刻までの時間との差分に相当する時間をカウントしかつ携帯電話機が電源オフの状態である場合、又は前記電源ボタンの押下により携帯電話機の電源がオンになる場合、電源がオンした後に、前記メモリに格納されたスケジュールデータのうち現在時刻から最も近い電源オフの時刻のスケジュールデータを前記時間演算手段に設定する電源状態監視手段（図５の１０４）と、前記タイマが前記現在時刻と電源が次にオフする時刻までの時間との差分に相当する時間をカウントした場合、携帯電話機の電源をオフさせる制御を行い、前記タイマが前記現在時刻と電源が次にオンする時刻までの時間との差分に相当する時間をカウントした場合、携帯電話機の電源をオンさせる制御を行う電源オン／オフ判定手段（図５の１０３ａ）と、を有する。
【００１４】
また、本発明の携帯電話機の１構成例は、表示手段（図１の９）と制御手段（図５の８ａ）とを有し、スケジュール管理手段（図５の１０ａ）のタイマ（図５の１０６）は、スケジュールデータを基に携帯電話機の電源が次にオンまたはオフするまでの時間をダウンカウントで計時を行い、前記制御手段（図５の８ａ）は、前記スケジュール管理手段によって計時中の時間を前記表示手段（図５の９）に表示させるものである。
【００１５】
また、本発明の携帯電話機の１構成例は、無線回線の自動着信機能を備えた無線送受信手段（図７の３ｂ）と、この無線送受信手段で自動着信した受信メッセージが前記スケジュールデータであるかどうかを判定する送信・受信メッセージ処理手段（図７の１５）と、前記受信メッセージが前記スケジュールデータであると判定されたとき、このスケジュールデータを前記スケジュール管理手段に設定する制御手段（図７の８ｂ）とを有するものである。
【発明の効果】
【００１６】
本発明によれば、予め設定された電源のオン時刻またはオフ時刻を示すスケジュールデータに従って、携帯電話機の電源をオンまたはオフさせるスケジュール管理手段を設けることにより、ユーザは、スケジュールデータを予め設定しておけば、一日に何度も電源をオン／オフするような煩わしい操作をする必要がなくなり、携帯電話機の使用が制限される例えば電車内等の場所において、携帯電話機の電源を切り忘れたとしても、自動的に電源オフとなるようにスケジュールデータを設定することが可能となる。また、電源のオン／オフを細かく設定しておけば、無駄なバッテリ消費を抑えることができる。
【００１７】
また、スケジュール管理手段が、スケジュールデータを基に携帯電話機の電源が次にオンまたはオフするまでの時間を計算して、計算した時間からダウンカウントで計時を行い、制御手段が、スケジュール管理手段によって計時中の時間を表示手段に表示させることにより、ユーザは、次に電源オンまたは電源オフするまでの時間を認識することができる。
【００１８】
また、自動着信機能を備えた無線送受信手段と、自動着信した受信メッセージがスケジュールデータであるかどうかを判定する送信・受信メッセージ処理手段と、受信したスケジュールデータをスケジュール管理手段に設定する制御手段とを設けることにより、ユーザは、自身が予め作成しておいたスケジュールデータや他人が作成したスケジュールデータを無線回線を介して自身の携帯電話機に送信し、遠隔操作でスケジュールデータを設定することができる。
【発明を実施するための最良の形態】
【００１９】
次に本発明のを実施するための最良の形態について図面を参照して詳細に説明する。
【実施例１】
【００２０】
図１は本発明の実施例１となる携帯電話機の構成を示すブロック図である。
【００２１】
本実施例１の携帯電話機１は、図示しない基地局との間で電波の送受信を行うアンテナ２と、音声又はデータの送受信を行う無線送受信部３と、音声データを処理するベースバンド処理部４と、送話音を検出し、受話音を出力する送話器／受話器５と、着信音などを鳴らすサウンダ６と、複数のキースイッチからなるデータ入力部７と、携帯電話機全体を制御する制御部８と、画面表示を行う液晶パネルからなる表示部９と、携帯電話機の電源のオン時刻またはオフ時刻を示すデータ（以下、スケジュールデータと呼ぶ）に従って、携帯電話機の電源をオンまたはオフさせるスケジュール管理手段１０と、後述する電池パックから供給される電圧を携帯電話機の各構成回路に必要な電源電圧に変換して各構成回路に供給する電源制御部１１と、時計機能ブロック１２と、電源を供給する電池パック１３と、データを記憶しておくためのメモリ１４とから構成される。
【００２２】
制御部８は、データ入力部７の電源ボタンの押下や電池パック１３の電圧に応じて携帯電話機の電源をオン／オフさせる制御を行う電源管理手段８１を有している。なお、ここでの電源オフとは、電源ボタン以外の入力、通話、データ表示及び音声出力ができない状態を指す。したがって、電源オフの状態で動作しているのは、制御部８と、スケジュール管理手段１０と、電源制御部１１と、時計機能ブロック１２など携帯電話機の一部のみとなる。
【００２３】
本実施例１の携帯電話機は、図９に示す従来の携帯電話機に対して、スケジュール管理手段１０を追加したものである。このように、本発明は、電源ボタンの押下や電池パック１３の電圧検出に応じた従来の電源管理に加えて、スケジュールデータに従って電源をオン／オフさせる機能を設けることにより、携帯電話機の電源を２通りの方法で制御することを特徴としている。
【００２４】
図２はスケジュール管理手段１０の構成を示すブロック図である。時間検出手段１０１は、時計機能ブロック１２で計時中の時刻を一定の時間毎にサンプリングして、現在時刻を取得する。
【００２５】
設定時間比較手段１０２は、時間検出手段１０１でサンプリングされた現在時刻とメモリ１４から読み出されたスケジュールデータとを比較する。
【００２６】
電源オン／オフ判定手段１０３は、現在時刻とスケジュールデータの時刻とが一致したとき、このスケジュールデータが電源のオフ時刻を示すデータであれば、電源制御部１１に対して電源オフ指示信号を出力し、前記スケジュールデータが電源のオン時刻を示すデータであれば、電源制御部１１に対して電源オン指示信号を出力する。
【００２７】
電源状態監視手段１０４は、電源制御部１１を通じて携帯電話機の電源の状態を監視し、電源がオン状態であれば、制御部８に信号を送って、次の電源オンの時刻のデータをメモリ１４から読み出させ、このデータを設定時間比較手段１０２に設定させる。また、携帯電話機の電源がオフ状態であれば、電源がオンした後に、次の電源オフの時刻のデータをメモリ１４から読み出させ、このデータを設定時間比較手段１０２に設定させる。
【００２８】
次に、本実施例１の携帯電話機の動作を図３のフローチャートを用いて説明する。ここでは、携帯電話機の電源を一日に数回にわたってオン／オフし、このオン／オフする時刻を図４に示すようなスケジューリングで設定する場合を考える。データ入力部７の電源ボタンが押下されて携帯電話機の電源がオンした後（図３ステップＡ１）、データ入力部７が操作されて、スケジュールデータが入力された場合（ステップＡ２）、制御部８は、このスケジュールデータをメモリ１４に格納する（ステップＡ３）。
【００２９】
スケジュール管理手段１０の電源状態監視手段１０４は、制御部８に信号を送って、メモリ１４に格納されたスケジュールデータのうち現時刻から最も近い電源オフの時刻のデータをメモリ１４から読み出させ、読み出したデータを設定時間比較手段１０２に設定させる（ステップＡ４）。
【００３０】
時間検出手段１０１は、時計機能ブロック１２によって計時中の時刻をある一定の時間間隔でサンプリングし、設定時間比較手段１０２は、時間検出手段１０１でサンプリングされた現在時刻と設定された電源オンまたは電源オフの時刻とが一致するかどうかを確認する（ステップＡ６）。
【００３１】
現在時刻と設定時間比較手段１０２に設定された電源オンまたは電源オフの時刻とが一致した場合、設定時間比較手段１０２への次の時刻データの設定を携帯電話機の電源がオンしている状態で行う。
【００３２】
携帯電話機の電源がオン状態ならば、次の電源オンする時刻を設定時間比較手段１０２に設定してから携帯電話機の電源をオフする。
【００３３】
すなわち、現在時刻と設定時間比較手段１０２に設定された電源オフの時刻とが一致し、かつ携帯電話機が電源オンの状態である場合（ステップＡ６，Ａ７においてＹＥＳ）、電源状態監視手段１０４は、制御部８に信号を送って、メモリ１４に格納されたスケジュールデータのうち現時刻から最も近い電源オンの時刻のデータをメモリ１４から読み出させ、読み出したデータを設定時間比較手段１０２に設定させる（ステップＡ８）。そして、電源オン／オフ判定手段１０３は、電源制御部１１に対して電源オフ指示信号を出力し、携帯電話機の電源をオフさせる（ステップＡ９）。
【００３４】
また、携帯電話機の電源がオフ状態ならば、電源をオンしてから、次の電源オフする時刻を設定時間比較手段１０２に設定する。すなわち、現在時刻と設定時間比較手段１０２に設定された電源オンの時刻とが一致し、かつ携帯電話機が電源オフの状態である場合（ステップＡ６においてＹＥＳ、ステップＡ７においてＮＯ）、電源オン／オフ判定手段１０３は、電源制御部１１に対して電源オン指示信号を出力し、携帯電話機の電源をオンさせる（ステップＡ１０）。
【００３５】
そして、電源状態監視手段１０４は、制御部８に信号を送って、メモリ１４に格納されたスケジュールデータのうち現時刻から最も近い電源オフの時刻のデータをメモリ１４から読み出させ、読み出したデータを設定時間比較手段１０２に設定させる（ステップＡ１１）。
【００３６】
こうして、設定時間比較手段１０２への次の電源オンまたは次の電源オフの時刻設定を行った後、ステップＡ５に戻る。ステップＡ５〜Ａ１１の処理は、スケジュール機能が解除されるまで（ステップＡ５においてＹＥＳ）、繰り返し実行される。
【００３７】
なお、ステップＡ５〜Ａ１１の処理を実行中に、データ入力部７の電源ボタンの押下あるいは電池パック１３の電池容量不足により電源をオフする場合（ステップＡ１２）、次の電源オンの時刻を設定時間比較手段１０２に設定してから（ステップＡ８）、制御部８の電源管理手段８１が、電源制御部１１に対して電源オフ指示信号を出力して、携帯電話機の電源をオフさせる（ステップＡ９）。
【００３８】
また、ステップＡ５〜Ａ１１の処理を実行中に、電源ボタンの押下により電源をオンする場合（ステップＡ１３）、電源管理手段８１が、電源制御部１１に対して電源オン指示信号を出力して、携帯電話機の電源をオンさせた後（ステップＡ１０）、次の電源オフの時刻を設定時間比較手段１０２に設定する（ステップＡ１１）。
【実施例２】
【００３９】
図５は本発明の実施例２となる携帯電話機のスケジュール管理手段の構成を示すブロック図である。本実施例２のスケジュール管理手段１０ａは、実施例１のスケジュール管理手段１０に対して、設定時間比較手段１０２を削除し、電源が次にオンまたはオフする時刻と現在時刻との差分、すなわち電源が次にオンまたはオフするまでの時間を計算する時間演算手段１０５と、時間演算手段１０５によって計算された時間をカウントするためのタイマ１０６とを追加することにより、携帯電話機の電源をオン／オフする制御を、時刻でなく、オンまたはオフするまでの残り時間によって行う。
【００４０】
制御部８ａは、実施例１の制御部８とほぼ同様に動作するが、後述のようにタイマ１０６の残り時間を表示部９に表示させる制御を行う。その他の構成については実施例１と同様であるので、図１と同一の符号を用いて説明する。
【００４１】
以下、本実施例２の携帯電話機の動作を図６のフローチャートを用いて説明する。最初に、データ入力部７の電源ボタンが押下されて携帯電話機の電源がオンした後（図６ステップＢ１）、データ入力部７が操作されて、スケジュールデータが入力された場合（ステップＢ２）、制御部８ａは、このスケジュールデータをメモリ１４に格納する（ステップＢ３）。
【００４２】
スケジュール管理手段１０ａの電源状態監視手段１０４は、制御部８ａに信号を送って、メモリ１４に格納されたスケジュールデータのうち現時刻から最も近い電源オフの時刻のデータをメモリ１４から読み出させ、読み出したデータを時間演算手段１０５に設定させる（ステップＢ４）。
【００４３】
このとき、時間演算手段１０５は、設定された電源オンまたは電源オフの時刻と時間検出手段１０１によってサンプリングされた現在時刻との差分、すなわち次の電源オンまたは電源オフまでの残り時間を算出する（ステップＢ５）。
【００４４】
タイマ１０６は、時間演算手段１０５によって算出された時間をタイムアウト時間として、このタイムアウト時間からカウントダウンを開始する（ステップＢ６）。
【００４５】
電源オン／オフ判定手段１０３ａは、タイマ１０６の残り時間が０かどうかを判定する（ステップＢ８）。このタイマ１０６の残り時間は、制御部８ａを通じて表示部９により、「電源オフ（オン）まで○○時間△△分」のように常に画面表示させることができる。
【００４６】
タイマ１０６の残り時間が０になったとき、時間演算手段１０５への次の時刻データの設定を携帯電話機の電源がオンしている状態で行う。
【００４７】
携帯電話機の電源がオン状態ならば、次の電源オンする時刻を時間演算手段１０５に設定して、時間演算手段１０５で残り時間を算出してから携帯電話機の電源をオフする。
【００４８】
すなわち、タイマ１０６の残り時間が０で、かつ携帯電話機が電源オンの状態である場合（ステップＢ８，Ｂ９においてＹＥＳ）、電源状態監視手段１０４は、制御部８ａに信号を送って、メモリ１４に格納されたスケジュールデータのうち現時刻から最も近い電源オンの時刻のデータをメモリ１４から読み出させ、読み出したデータを時間演算手段１０５に設定させる（ステップＢ１０）。
【００４９】
時間演算手段１０５は、設定された電源オンの時刻と現在時刻との差分、すなわち次の電源オンまでの残り時間を算出し（ステップＢ１１）。電源オン／オフ判定手段１０３ａは、電源制御部１１に対して電源オフ指示信号を出力し、携帯電話機の電源をオフさせる（ステップＢ１２）。
【００５０】
また、携帯電話機の電源がオフ状態ならば、電源をオンしてから、次の電源オフする時刻を時間演算手段１０５に設定して、時間演算手段１０５で残り時間を算出する。すなわち、タイマ１０６の残り時間が０で、かつ携帯電話機が電源オフの状態である場合（ステップＢ８においてＹＥＳ、ステップＢ９においてＮＯ）、電源オン／オフ判定手段１０３は、電源制御部１１に対して電源オン指示信号を出力し、携帯電話機の電源をオンさせる（ステップＢ１３）。
【００５１】
そして、電源状態監視手段１０４は、制御部８ａに信号を送って、メモリ１４に格納されたスケジュールデータのうち現時刻から最も近い電源オフの時刻のデータをメモリ１４から読み出させ、読み出したデータを時間演算手段１０５に設定させる（ステップＢ１４）。時間演算手段１０５は、設定された電源オフの時刻と現在時刻との差分、すなわち次の電源オフまでの残り時間を算出する（ステップＢ１５）。
【００５２】
こうして、時間演算手段１０５への次の電源オンまたは次の電源オフの時刻設定を行って、時間演算手段１０５で残り時間を算出した後、ステップＢ６に戻ってタイマ１０６のカウントダウンを開始させる。
【００５３】
ステップＢ６〜Ｂ１５の処理は、スケジュール機能が解除されるまで（ステップＢ７においてＹＥＳ）、繰り返し実行される。
【００５４】
なお、ステップＢ６〜Ｂ１５の処理を実行中に、データ入力部７の電源ボタンの押下あるいは電池パック１３の電池容量不足により電源をオフする場合（ステップＢ１６）、ステップＢ１０，Ｂ１１の処理が実行された後に、制御部８ａの電源管理手段８１が携帯電話機の電源をオフさせる（ステップＢ１２）。
【００５５】
また、ステップＢ６〜Ｂ１５の処理を実行中に、電源ボタンの押下により電源をオンする場合（ステップＢ１７）、電源管理手段８１が携帯電話機の電源をオンさせた後（ステップＢ１３）、ステップＢ１４，Ｂ１５の処理が実行される。
【００５６】
なお、電源オフの状態で、「電源オンまで○○時間△△分」という残り時間表示をするには、電源オフであっても表示部９を動作させる必要があるが、この場合には、電源オフにも拘わらず、電池パック１３の電力消費が大きくなる。そこで、電源オフの状態では、データ入力部７に対して所定の操作がなされたときに、一定時間の間だけ残り時間表示を行うようにしてもよい。これにより、電池パック１３の電力消費を抑えることができる。
【実施例３】
【００５７】
図７は本発明の実施例３となる携帯電話機の構成を示すブロック図である。本実施例３の携帯電話機は、実施例１の携帯電話機に対して、自動的に送受信を行う自動送受信手段３１を無線送受信部３ｂに追加し、さらに受信メッセージまたは送信メッセージの処理を行う送信・受信メッセージ処理手段１５を追加した構成になっている。
【００５８】
図８は送信・受信メッセージ処理手段１５の構成を示すブロック図である。送信・受信メッセージ処理手段１５は、自動着信で通信状態になった場合にメッセージの受信時間を管理するメッセージ受信時間管理手段１５１と、受信したメッセージがスケジュールデータであるかどうかを判定する受信メッセージ判定手段１５２と、送信メッセージ判定手段１５３とを有する。
【００５９】
送信メッセージ判定手段１５３は、メッセージの受信時間が所定時間を超過したときに通話状態を解除する通話状態解除手段１５３１と、スケジュールデータの設定が完了したことを通知するメッセージを発送するデータ設定確認手段１５３２と、メッセージ受信時間が経過したことを示す受信時間経過手段１５３３とを有する。
【００６０】
以下、本実施例３の携帯電話機の動作を説明する。無線送受信部３ｂの自動送受信手段３１は、携帯電話機の電源がオンの状態で、基地局を介した他の携帯電話機からの着信を受けると、自動着信で通信可能状態となり、メッセージ受信時間管理手段１５１にメッセージ受信監視時間の設定を行い、メッセージ受信時間管理手段１５１を起動させる。
【００６１】
受信メッセージ判定手段１５２は、通信可能状態で、かつメッセージ受信が許されている時間内に、自動送受信手段３１がメッセージを受信すると、この受信メッセージがスケジュールデータであるかどうかを判定し、スケジュールデータであれば、このデータを制御部８ｂに渡す。
【００６２】
制御部８ｂは、受信メッセージ判定手段１５２から受け取ったスケジュールデータをメモリ１４に格納する。この動作は、実施の形態の１で説明したステップＡ３の動作に相当し、以降の動作はステップＡ４以降の動作と同じである。
【００６３】
そして、データ設定確認手段１５３２は、スケジュールデータの設定が完了したことを通知するメッセージを自動送受信手段３１に渡し、自動送受信手段３１は、このメッセージをスケジュールデータの送信元の携帯電話機に送信する。
【００６４】
また、メッセージ受信時間管理手段１５１で管理しているメッセージの受信時間が所定時間を経過した場合には、受信時間経過手段１５３３は、所定時間が経過したことを示す信号を出力し、これに応じてデータ設定確認手段１５３２は、メッセージ受付の解除を通知するメッセージを自動送受信手段３１に渡し、自動送受信手段３１は、このメッセージを通信相手の携帯電話機に送信する。そして、通話状態解除手段１５３１は、通話状態解除の指示信号を自動送受信手段３１に送り、通話状態を解除させる。
【図面の簡単な説明】
【００６５】
【図１】本発明の実施例１となる携帯電話機の構成を示すブロック図である。
【図２】図１のスケジュール管理手段の構成を示すブロック図である。
【図３】図１の携帯電話機の動作を示すフローチャート図である。
【図４】電源のオン／オフのスケジュール設定の１例を示す図である。
【図５】本発明の実施例２となる携帯電話機のスケジュール管理手段の構成を示すブロック図である。
【図６】図５の携帯電話機の動作を示すフローチャート図である。
【図７】本発明の実施例３となる携帯電話機の構成を示すブロック図である。
【図８】図７の送信・受信メッセージ処理手段の構成を示すブロック図である。
【図９】従来の携帯電話機の構成を示すブロック図である。
【符号の説明】
【００６６】
１…携帯電話機、２…アンテナ、３、３ｂ…無線送受信部、４…ベースバンド処理部、５…送話器／受話器、６…サウンダ、７…データ入力部、８、８ａ、８ｂ…制御部、９…表示部、１０…スケジュール管理手段、１１…電源制御部、１２…時計機能ブロック、１３…電池パック、１４…メモリ、１５…送信・受信メッセージ処理手段、３１…自動送受信手段、８１…電源管理手段、１０１…時間検出手段、１０２…設定時間比較手段、１０３、１０３ａ…電源オン／オフ判定手段、１０４…電源状態監視手段、１０５…時間演算手段、１０６…タイマ、１５１…メッセージ受信時間管理手段、１５２…受信メッセージ判定手段、１５３…送信メッセージ判定手段、１５３１…通話状態解除手段、１５３２…データ設定確認手段、１５３３…受信時間経過手段。
【図１】
2004304842.tif 000003
【図２】
2004304842.tif 000004
【図３】
2004304842.tif 000005
【図４】
2004304842.tif 000006
【図５】
2004304842.tif 000007
【図６】
2004304842.tif 000008
【図７】
2004304842.tif 000009
【図８】
2004304842.tif 000010
【図９】
2004304842.tif 000011